(57)【要約】【課題】強度を確保しつつ、部品点数が少なく、組み立てを容易にする。【解決手段】シーソースイッチ構造１０は、一対のタクトスイッチ１４と、スイッチパネル１２と、スイッチノブ１３とを備える。スイッチパネルは、開口部１２ａを構成する前後両側壁１２ｂと、両側壁の対向位置に設けられた一対の長孔１２ｅとを備え、スイッチノブは、開口部に嵌合され、上方からの操作力が作用する頂部を備えた操作部１３ａと、操作部の左右中央からスイッチパネルの両側壁に沿ってそれぞれ下方に延設された立直部１３ｂと、各立直板の非対向面に形成され、一対の軸受部に係合される回動軸１３ｃと、操作部の左右方向の両側から下方に突設され、回動軸周りに互いに上下逆方向に回動する一対の押圧棒１３ｄとを備え、一対のタクトスイッチ１４Ａ，Ｂは、一対の押圧棒１３ｄに対応する位置に設けられている。【選択図】図１
2018097941.tif 000002
【特許請求の範囲】
【請求項１】
スイッチパネルに回動可能に支持されたスイッチノブを上方からの操作力によって回動させ、回動方向によって一対のプッシュスイッチを選択的にオンオフさせるシーソースイッチ構造において、
前記スイッチパネルは、開口部を構成する前後両側壁と、前記両側壁の対向位置に設けられた一対の軸受部とを備え、
前記スイッチノブは、前記開口部に嵌合され、前記上方からの操作力が作用する頂部を備えた操作部と、前記操作部の左右中央から前記スイッチパネルの前記両側壁に沿ってそれぞれ下方に延設された立直板と、前記各立直板の非対向面に形成され、前記一対の軸受部にそれぞれ係合される回動軸と、前記操作部の左右方向の両側から下方に突設され、前記回動軸周りに互いに上下逆方向に回動する一対の押圧棒とを備え、
前記一対のプッシュスイッチは、前記一対の押圧棒に対応する位置に設けられたことを特徴とするシーソースイッチ構造。
【請求項２】
前記一対の軸受部は、前記両側壁に形成された長孔である請求項１に記載のシーソースイッチ構造。
【請求項３】
前記スイッチパネルの前記両側壁は下部に底板部を備え、
前記一対の軸受部は、前記底板部に向かう長孔であり、
前記立直板は、前記回動軸の軸断面より大形の構造を有することを特徴とする請求項１又は２に記載のシーソースイッチ構造。
【請求項４】
前記立直板は、前記回動軸と同心で前記回動軸の軸径より大径の下端部を備えたことを特徴とする請求項３に記載のシーソースイッチ構造。
【発明の詳細な説明】
【技術分野】
【０００１】
本発明は、スイッチパネルに回動可能に支持されたスイッチノブを外部からの操作力を受けて回動させ、回動方向によって一対のプッシュスイッチを選択的にオンさせるシーソースイッチ構造に関する。
【背景技術】
【０００２】
今日、外部からの操作を受け付けて各種の機能や処理の切換乃至は変更等を行うスイッチを備えた器具、装置が多種類知られている。これらの器具、装置に適用されるスイッチとして、シーソースイッチ構造が汎用されている。例えば特許文献１には、中央に開口部が穿設され、開口部の両側に立設された一対の側片の対向位置にそれぞれ軸受を設けたタッチパネルと、前記開口部に嵌合され、前記軸受に軸支された回動軸を有する、下向きにされた箱形状を有するスイッチノブとを備え、このスイッチノブを外部からの操作力によって回動させることで、前記回動軸を挟んで両側に立設された一対の押圧棒が、回動方向によって対応配置されたプッシュスイッチを選択的にオンさせるシーソースイッチ構造が記載されている。
【先行技術文献】
【特許文献】
【０００３】
【特許文献１】特開２００８―４２７３号公報
【発明の概要】
【発明が解決しようとする課題】
【０００４】
引用文献１に記載のシーソースイッチ構造では、一対の側片間に設けられた開口部にスイッチノブを押し込み、側片の撓みを利用して軸受に回動軸を嵌め込むようにしたものであるため、スイッチ操作時の押下方向の力に弱く、回動軸が軸受から脱落する虞がある。また、押圧力は、回動軸に作用するため、剪断強度面での対応が望まれる。
【０００５】
一方、撓みを利用した回動軸の軸受への押し込み作業に代えて、軸受を有する側壁をスイッチパネルとは別パーツにして、まず別パーツに回動軸を嵌合させ、その状態で、別パーツをスイッチパネルの本体に取り付ける態様が考えられる。しかし、その場合には、別パーツ部品や固定用の部品等が必要となり、部品点数の増加、取り付け作業の増大を招く。
【０００６】
本発明は、前記課題に鑑みてなされたもので、強度を確保しつつ、部品点数が少なく、組み立て作業が容易なシーソースイッチ構造を提供することを目的とする。
【課題を解決するための手段】
【０００７】
本発明に係るシーソースイッチ構造は、スイッチパネルに回動可能に支持されたスイッチノブを上方からの操作力によって回動させ、回動方向によって一対のプッシュスイッチを選択的にオンオフさせるシーソースイッチ構造において、前記スイッチパネルは、開口部を構成する前後両側壁と、前記両側壁の対向位置に設けられた一対の軸受部とを備え、前記スイッチノブは、前記開口部に嵌合され、前記上方からの操作力が作用する頂部を備えた操作部と、前記操作部の左右中央から前記スイッチパネルの前記両側壁に沿ってそれぞれ下方に延設された立直板と、前記各立直板の非対向面に形成され、前記一対の軸受部にそれぞれ係合される回動軸と、前記操作部の左右方向の両側から下方に突設され、前記回動軸周りに互いに上下逆方向に回動する一対の押圧棒とを備え、前記一対のプッシュスイッチは、前記一対の押圧棒に対応する位置に設けられたことを特徴とするものである。
【０００８】
本発明によれば、スイッチノブの操作部から立直板が延設された構造であるため、回動軸を含む立直板を別パーツとする従来構成と比べて部品点数が少なくて済む。また、スイッチノブをスイッチパネルの開口部に押し込む際に、立直板の撓みを利用して回動軸を軸受部と係合するようにしたので、取り付け作業も容易となる。また、スイッチパネルの両側壁に軸受部を構成したため強度が補強され、軸受部が外部からの押下力を受けても、軸受部側が撓んで、回動軸が脱落するということが可及的に防がれる。
【０００９】
また、前記一対の軸受部は、前記両側壁に形成された長孔である。この構成によれば、軸受部の構造が簡素となり、製造も容易となる。
【００１０】
また、前記スイッチパネルの前記両側壁は下部に底板部を備え、前記一対の軸受部は、前記底板部に向かう長孔であり、前記立直板は、前記回動軸の軸断面より大形の構造を有することを特徴とするものである。この構成によれば、回動軸ではなく、回動軸より大きな構造部分で外部からの押圧力を受け止めるため、強度が確保される。
【００１１】
また、前記立直板は、前記回動軸と同心で前記回動軸の軸径より大径の下端部を備えたことを特徴とするものである。この構成によれば、下端部が大径であっても、下端部と底板とは１点で当接するので、強度確保を図りつつ、スイッチの押圧操作がスムーズとなる。
【発明の効果】
【００１２】
本発明によれば、強度を確保しつつ、部品点数が少なく、組み立て作業が容易なシーソースイッチ構造を提供する。
【図面の簡単な説明】
【００１３】
【図１】本発明に係るシーソースイッチ構造の第１実施形態を示す分解斜視図である。
【図２】回動軸と軸受である長孔との係合を説明する正面断面図で、（ａ）は第１実施形態における図、（ｂ）は従来構造を示す図である。
【図３】立直板の下端部が大径形状の場合の側面図である。
【図４】スイッチノブの他の構造を説明する側面断面図である。
【発明を実施するための形態】
【００１４】
図１に示すシーソースイッチ構造１０は、例えばタッチディスプレイと通信するタッチペンの表面適所に露出して適用され、ページ送り、戻しスイッチなどに用いられるものである。あるいは、操作パネル部等の適所に、外部から操作可能に配置される態様でもよい。なお、各図に示すように、前後方向をＸ、左右方向をＹ、上下方向をＺとして表す。
【００１５】
シーソースイッチ構造１０は、配線基板１１と、スイッチパネル１２と、スイッチノブ１３とを備えている。配線基板１１上には、同一構成を有する一対のタクトスイッチ１４Ａ，１４Ｂが所定の間隔を置いて装着されている。
【００１６】
タクトスイッチ１４Ａ，１４Ｂは、それぞれスイッチ本体１４ａと、押しボタン部１４ｂとを有し、押しボタン部１４ｂの先端を上端部１４ｃという。スイッチ本体１４ａは、公知のように内部に図略のバネが設けられ、このバネが押しボタン部１４ｂを常に上方に付勢している。押しボタン部１４ｂが上方から押下されると、押しボタン部１４ｂはバネに抗して押し下げられる。タクトスイッチ１４Ａ，１４Ｂは、モーメンタリ型のプッシュスイッチであり、押しボタン部１４ｂを押下した時にオンする。一対のタクトスイッチ１４Ａ，１４Ｂは、後述するように選択的にオンされる。
【００１７】
スイッチパネル１２は、上方が開口した直方体の箱形状を有する。開口部１２ａの周囲には所定幅の鍔部１２Ａが形成されている。箱形状は、鍔部１２Ａの内側端縁から下方に、互いに対向する側壁で四方を囲まれて構成されている。側壁は、長手方向の前後側壁１２ｂ、１２ｂと、短手方向の左右側壁１２ｃ、１２ｃとから構成されている。なお、Ｘ方向を前後方向とし、Ｙ方向を左右方向とし、Ｚ方向を上下方向乃至は高さ方向とする。
【００１８】
側壁１２ｂ、１２ｃは、高さ寸法が同一で、底部には底板１２ｄが形成されている。各側壁１２ｂの左右方向中間位置には、高さ方向のほぼ中央から下方に亘って長孔１２ｅが穿設されている。長孔１２ｅは、幅寸法が、後述する回動軸１３ｃの軸径より僅かに大径で、回動軸１３ｃが遊嵌可能にされ、軸受として機能する。
【００１９】
また、底板１２ｄの前後方向の中央、かつ左右方向の両端側の対称位置には、一対の貫通孔１２ｆが穿設されている。一対の貫通孔１２ｆの左右方向における穿設位置は、配線基板１１上のタクトスイッチ１４Ａ，１４Ｂの装着位置と対応している。貫通孔１２ｆの寸法は、後述する押圧棒１３ｄの軸径より大径である。なお、また、貫通孔１２ｆは円形の他、左右方向の長孔形状でもよい。貫通孔１２ｆが左右方向に長孔である態様では、前後方向の寸法は、押圧棒１３ｄの軸径より僅かに大きく、一方、左右方向の寸法は、押圧棒１３ｄの回動時の左右方向のおける変位分を考慮して押圧棒１３ｄの軸径より大きく設定すればよい。
【００２０】
スイッチノブ１３は、頂部に板状で長方形の操作部１３ａを備えている。操作部１３ａの上面視形状は、スイッチパネル１２の開口部１２ａの形状に対応し、僅かに小形サイズに形成されて、上方から開口部１２ａ内に遊嵌可能にされている。操作部１３ａの左右方向の中央位置で、かつ前後端縁には、所定厚及び所定幅を有する板状の立直部１３ｂが下方に向けて延設されている。立直部１３ｂは、下端部１１３ｂが曲線形状等、好ましくは円弧形状とされている。また、立直部１３ｂは、いわゆる爪形状をなし、厚さ方向（前後方向）に対して多少撓む弾性を有している。各立直部１３ｂの下端部１１３ｂの円弧形状の中心には、それぞれ前後方向外側（非対向側）に立設された回動軸１３ｃを有する。
【００２１】
回動軸１３ｃの軸長は、図２（ａ）に示すように、スイッチノブ１３がスイッチパネル１２に係合された状態で、長孔１２ｅの肉厚に対応するように設定されている。例えば、図２（ａ）では、回動軸１３ｃの先端が長孔１２ｅの肉厚の半分あたりに位置するように設定されている。このように立直部１３ｂの厚さ、回動軸１３ｃの軸長、長孔１２ｅの肉厚、及び開口部１２ａの前後方向寸法を適宜に設定することで、立直部１３ｂを撓ませつつ、スイッチノブ１３を上方から開口部１２ａ内に押し込んで、回動軸１３ｃを長孔１２ｅに嵌合支持させることができる。
【００２２】
また、回動軸１３ｃと下端部１１３ｂとの高さ方向の位置関係、及び立直部１３ｂの高さを適宜に設定することで、回動軸１３ｃが長孔１２ｅに嵌合された状態で下端部１１３ｂが底板１２ｄの上面に当接する（図２（ａ）参照）。回動軸１３ｃが長孔１２ｅに嵌合された状態で、操作部１３ａの左右方向の一方側が上方から押下されると、スイッチノブ１３が回動軸１３ｃを中心に回動する。このとき、スイッチノブ１３が回動しても、下端部１１３ｂが常に底板１２ｄに当接するため、押下力に抗してスイッチノブ１３がスイッチパネル１２から脱落することがなくなる。また、下方への押圧力が底板１２ｄで受け止めるため、立直部１３ｂや前後側壁１２ｂが変形したりすることはなく、不良化、破損等が防止される。
【００２３】
これに対し、図２（ｂ）は、従来の構造を示している。回動軸１３ｃが、円形孔１１２ｅに嵌合されている。この場合、下方への押圧力が回動軸１３ｃと円形孔１１２ｅとの接触位置に掛かり、回動軸１３ｃに剪断力が働くため、スイッチノブ１３が脱落の虞がある。他方、回動軸１３ｃを太くすると、強度は増すものの摩擦の増加により操作感を損なうため好ましくない。
【００２４】
また、操作部１３ａの上面のうち、左右方向の中央を境にして一方側の表面を押圧部Ａとし、他方側の表面を押圧部Ｂとする。押圧部Ａ，Ｂの下面側には下方に延びる一対の押圧棒１３ｄが立設されている。一対の押圧棒１３ｄの立設位置は、スイッチノブ１３に外部からの力が作用しない中立位置にあるとき、タクトスイッチ１４Ａ，１４Ｂの装着位置の上方に位置するように設定されている。一対の押圧棒１３ｄの長さは同一であり、押圧部Ａ，Ｂの一方が上方から押圧された場合、一対の押圧棒１３ｄは回動軸１３ｃ周りに同方向に回動し、一方の押圧棒１３ｄの先端部１３ｅがタクトスイッチ１４Ａ（または１４Ｂ）の押しボタン部１４ｂの上端部１４ｃを押下し、他方の押圧棒１３ｄがタクトスイッチ１４Ｂ（または１４Ａ）の押しボタン部１４ｂから、より上方に離反する。これによって、タクトスイッチ１４Ａ，１４Ｂの一方が選択的にオンする。なお、スイッチノブ１３は、図略の付勢部材で能動的に中立位置に維持する態様としてもよい。
【００２５】
上記構成において、配線基板１１とスイッチパネル１２とがハウジング等を介して固定されると、配線基板１１とスイッチパネル１２とは平行に配置され、各押圧棒１３ｄの先端部１３ｅが、各押しボタン部１４ｂの上端部１４ｃにそれぞれ当接、乃至は高さ方向に僅かに離間した位置になる。そして、例えば、押圧部Ａを指で押下すると、スイッチノブ１３が回動軸１３ｃを軸として回動し、これに伴って押圧部Ａ側の押圧棒１３ｄの先端部１３ｅが、タクトスイッチ１４Ａの押しボタン部１４ｂを押し下げる。逆に、押圧部Ｂが押下された場合、タクトスイッチ１４Ｂの押しボタン部１４ｂを押し下げる。
【００２６】
従って、押圧部Ａを指で押下すると、押下した瞬間、タクトスイッチ１４Ａがオンの状態になり、押圧部Ｂを指で押下すると、押下した瞬間、タクトスイッチ１４Ｂがオンの状態になる。
【００２７】
図３は、立直部１３ｂを幅広にした場合の図である。立直部１３ｂは、幅の広狭に関わらず、下端部１１３ｂと底板１２ｄとが一点で当接するため、立直部１３ｂを幅広とすることで、強度が維持され、かつ操作感を損なわずに済む。
【００２８】
図４は、スイッチノブ１３の他の構造を示している。スイッチノブ１３の左右の押圧棒１３ｄは、例えばタクトスイッチ１４Ａ，１４Ｂの装着間隔によっては、その間の寸法を調整せざるを得ない場合がある。例えば図４において、押圧棒１３ｄは、操作部１３ａの左右方向端部から、さらにはみ出した部位で下方に立設されている。押圧棒１３ｄが操作部１３ａの左右方向端部からはみ出してしまう部位に、上蓋１５を被せることで、前記はみ出し部位が覆われて見栄えが良好に維持される。
【００２９】
なお、第１実施形態では、長孔１２ｅを底板１２ｄまで達する切欠形状としたが、これに代えて、前後側壁１２ｂの途中までの孔としてもよい。
【００３０】
また、第１実施形態では、立直部１３ｂの下端部１１３ｂを円弧形状としたが、正確な円弧形状に限定されず、スイッチノブ１３のスムーズな回動が可能な範囲で、楕円形状の一部乃至は他の曲線形状を採用してもよい。
【００３１】
また、第１実施形態では、タクトスイッチを用いて説明したが、スイッチはプッシュ式のスイッチであれば、必ずしもタクトスイッチである必要はない。他の形式のプッシュスイッチでもよい。
【００３２】
また、第１実施形態では、モーメンタリ型のタクトスイッチを用い、押下した瞬間のみオンとなるものを用いて説明したが、プッシュ式のスイッチであれば、押下している間、オンとなり、押下していない間、オフとなるものであってもよい。モーメンタリ型の他に、オルタネイト型のプッシュスイッチであってもよい。
【００３３】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３４】
１０  シーソースイッチ構造
１１  配線基板
１２  スイッチパネル
１２ｂ  側壁
１２ｄ  底板
１２ｅ  長孔（軸受部）
１２ｆ  孔
１３  スイッチノブ
１３ａ  操作部
１３ｂ  立直部
１１３ｂ  下端部
１３ｄ  押圧棒
Ａ，Ｂ  押圧部
１４Ａ，１４Ｂ  タクトスイッチ
【図１】
2018097941.tif 000003
【図２】
2018097941.tif 000004
【図３】
2018097941.tif 000005
【図４】
2018097941.tif 000006